(57)【要約】      （修正有）【課題】外部の音響機器のオーディオ信号を増幅するアンプを必要としないスピーカを備えるベッド装置を提供する。【解決手段】扁平な直方体状に形成されているベッド本体１と、ベッド本体１の頭部側端部に一体に形成された木製のヘッドボード２と、ヘッドボード２の左右両側に内蔵される筐体３と、筐体３にそれぞれ収納される１ないし複数個のパッシブスピーカ４とにより、ベッド装置を提供する。パッシブスピーカ４は、筐体開口１０ｂから筐体３内部に挿入され、ヘッドボード２の正面板６の裏側に取り付けられている。ヘッドボード２の正面板６とパッシブスピーカ４との間には、カバー１８が挟まれており、パッシブスピーカ４のバッフル板開口部２８がカバー１８により塞がれる。このカバー１８により、スピーカユニット１６の上記振動板は外部からの接触などから保護される。【選択図】図１
0003149148.tif 000002
【実用新案登録請求の範囲】
【請求項１】
ベッド本体と、
前記ベッド本体の頭部側端部に一体に設けられたヘッドボードと、
前記ヘッドボードのベッド本体に臨む面から音が出るように前記ヘッドボードに内蔵された１ないし複数個のパッシブスピーカと、
前記パッシブスピーカに外部の音響機器からの音源を入力するためのプラグとを備えていることを特徴とするベッド装置。
【請求項２】
前記パッシブスピーカは指向性を有することを特徴とする請求項１に記載のベッド装置。
【請求項３】
前記パッシブスピーカはバス・レフレックス型であることを特徴とする請求項１または２に記載のベッド装置。
【請求項４】
前記ヘッドボードは前記パッシブスピーカを収容する筐体を内蔵していることを特徴とする請求項１ないし３の何れか一項に記載のベッド装置。
【請求項５】
前記筐体のベッド本体に臨む面と対向する面にあって、前記パッシブスピーカのバスレフダクトの貫通穴に対応する１ないし複数個の外部に通じる貫通穴が設けてあることを特徴とする請求項４に記載のベッド装置。
【請求項６】
前記パッシブスピーカの音軸がベッド本体の幅方向中央に向けられていることを特徴とする請求項１ないし５の何れか一項に記載のベッド装置。
【請求項７】
前記ヘッドボードはスイッチ付き電源コンセントを備えたことを特徴とする請求項１ないし６の何れか一項に記載のベッド装置。
【請求項８】
前記プラグは３．５ｍｍステレオミニプラグであることを特徴とする請求項１ないし７の何れか一項に記載のベッド装置。
【考案の詳細な説明】
【技術分野】
【０００１】
本考案は、ベッド装置に関し、特にスピーカを備えるベッド装置に関するものである。
【背景技術】
【０００２】
従来のスピーカを備えるベッド装置として、ベッド本体に外部の音響機器から出力されるオーディオ信号を増幅して前記スピーカに入力するアンプを備えるものがある（特許文献１参照）。
【特許文献１】特開２００８−２３７７２７号公報
【考案の開示】
【考案が解決しようとする課題】
【０００３】
上記ベッド装置では、上記アンプを備えるためベッド装置自体が高額なものになり、しかも上記アンプを駆動するため上記ベッド装置に電力を供給しなければならず安全性に特別な配慮が必要であった。
しかも、上記アンプが故障した場合、上記スピーカを使用することができず、さらに故障した上記アンプを修理するのが煩雑であった。
本考案は、上記事情に鑑みてなされたものであり、その目的は、外部の音響機器のオーディオ信号を増幅するアンプを必要としないスピーカを備えるベッド装置を提供することにある。
【課題を解決するための手段】
【０００４】
上記目的を達成するため、本考案のベッド装置は、ベッド本体と、前記ベッド本体の頭部側端部に一体に設けられたヘッドボードと、前記ヘッドボードのベッド本体に臨む面から音が出るように前記ヘッドボードに内蔵された１ないし複数個のパッシブスピーカと、前記パッシブスピーカに外部の音響機器からの音源を入力するためのプラグとを備えていることを特徴とする。
【考案の効果】
【０００５】
本考案によれば、ベッド装置に備えられるスピーカはパッシブスピーカであるため、このパッシブスピーカを駆動するためのアンプを上記ベッド装置に備える必要がない。
すなわち、本考案によれば、アンプを備えることなくスピーカを駆動することができるため、価格を抑えることができ、さらに安全性に優れるスピーカを備え音楽等を聴くことのできるベッド装置を提供することが可能である。
【考案を実施するための最良の形態】
【０００６】
（第１の実施形態）
以下、本考案の第１の実施形態につき、図１ないし図４を参照して説明する。図２は、本考案に係るベッド装置の全体斜視図である。
図２に示すように、本実施形態のベッド装置は、扁平な直方体状に形成されているベッド本体１と、ベッド本体１の頭部側端部に一体に形成された木製のヘッドボード２と、ヘッドボード２の左右両側に内蔵される筐体３、３（図１参照）と、筐体３、３にそれぞれ収納される１ないし複数個（本実施形態では２個）のパッシブスピーカ４、４と、ヘッドボード２に内蔵される照明５、５とを備える。
【０００７】
図１は右側のパッシブスピーカ４部分の縦断右側面拡大図である。
ヘッドボード２は、中空扁平状直方体であり、ベッド本体１を臨む面を構成する正面板６とこの正面板６と対向する背面板７（図４参照）と２枚の側面板８、８（図２に一方のみ図示）とを備える。
【０００８】
ヘッドボード２の内部の左右上端には筐体３、３が内蔵されている。
筐体３は、直方体をなし、天板９、底板９ａ、正面板６、蓋板１０、仕切り板１１および側面板８（図２参照）により形成されている。蓋板１０は、４個のねじ１０ａにより背面板７に固定され、筐体開口１０ｂを塞ぐものである。筐体３を形成する正面板６部位の中央部には円形のスピーカ用開口部１２が設けられている。蓋板１０は、スピーカ用開口部１２に対向する位置にバスレフ用小孔１３が５個設けられている（図４参照）。
【０００９】
パッシブスピーカ４はバス・レフレックス型である。
パッシブスピーカ４は、エンクロージャ１４、バスレフダクト１５、スピーカユニット１６、スピーカ取付板１７およびメッシュ構造のカバー１８を備える。
エンクロージャ１４は、パッシブスピーカ４のケースをなし、中空の直方体に形成されている。エンクロージャ１４の内部には、バスレフダクト１５およびスピーカユニット１６が取り付けられている。
【００１０】
エンクロージャ１４の正面板であるバッフル板１９は、スピーカ取付板１７の一部をなし、その中央部に円形のバッフル板開口部２８が設けられ、スピーカユニット１６がその後述する円形の振動板とバッフル板開口部２８とが同心円状に重なるようにバッフル板１９に取り付けられている。バッフル板１９に対向する背面板２１はその中央部にバスレフダクト１５の出口となるポート２２が設けられている。
【００１１】
バスレフダクト１５は、円筒形状に形成され、その一端はスピーカユニット１６の中心部後方に位置し、その他端はポート２２に連通するように背面板２１に固定されている。
スピーカユニット１６は、図示はしないが、可動子としてのボイスコイルと、このボイスコイルに連結固定されている振動板と、固定子としてのヨーク、マグネットなどからなる周知の構成である。リード線２３は、上記ボイスコイルと電気的に接続されており、外部の音響機器２４（図４参照）から出力されるオーディオ信号をスピーカユニット１６に伝達する。
【００１２】
リード線２３は、図３に示すように、エンクロージャ１４の背面板２１に設けられた挿通孔２５よりパッシブスピーカ４の外部に導出され、後述する３．５ｍｍステレオミニプラグ２６（図４参照）に接続される。
スピーカ取付板１７は、バッフル板１９部分の外周部にあって、その四隅にねじ穴２７（図３参照）が設けられている。スピーカ取付板１７は、ヘッドボード２の正面板６の裏面に、バッフル板開口部２８とスピーカ用開口部１２とが同心円状に重なるように木ねじ２９をねじ穴２７に挿入して取り付けられる。
【００１３】
以上のようにして、パッシブスピーカ４は、筐体開口１０ｂから筐体３内部に挿入され、ヘッドボード２の正面板６の裏側に取り付けられている。
ヘッドボード２の正面板６とパッシブスピーカ４との間には、カバー１８が挟まれており、パッシブスピーカ４のバッフル板開口部２８がカバー１８により塞がれる。このカバー１８により、スピーカユニット１６の上記振動板は外部からの接触などから保護される。
【００１４】
このようにして、パッシブスピーカ４、４はそれぞれヘッドボード２に内蔵されている筐体３、３に収納される。
パッシブスピーカ４、４のリード線２３、２３（図１では一方のみ図示）は、筐体３の仕切り板１１に設けられた貫通孔３０から筐体３の外部に導出され、一本のオーディオ用コード３１（図４参照）に束ねられ、その先端は３．５ｍｍステレオミニプラグ２６が接続される。オーディオ用コード３１は、３．５ｍｍステレオミニプラグ２６とともに、ヘッドボード２の背面上部に設けられている背面板貫通穴３２から外部に導出される。パッシブスピーカ４、４は、３．５ｍｍステレオミニプラグ２６により音響機器２４と接続可能になる（図４参照）。
【００１５】
パッシブスピーカ４、４は指向性を有しており、互いの音軸がベッド本体１の頭部側における幅方向中央に向くようにヘッドボード２内部に配設される。
照明５、５は、図２に示すように、読書灯などに用いるため、ヘッドボード２の左右両端に高さ方向に長い形態で配設され、パッシブスピーカ４、４は、それぞれ両照明５、５の上部でありヘッドボード２の左右両側の上端部に配設される。照明５、５の光源はヘッドボード２に内蔵された蛍光灯（図示せず）であり、照明５、５の点灯または消灯の切り替えは図示しないスイッチにより行われる。
【００１６】
ヘッドボード２の上面には、図４に示すように、電源コンセント３３とこの電源コンセント３３に外部からの電気を通電させるか否かの切り替えをするスイッチ３４、すなわち、スイッチ３４付き電源コンセント３３が備えられている。
電源コンセント３３は、ヘッドボード２の内部で、スイッチ３４を介して電源コード３５が接続されており、その先端にはコンセントプラグ３６が接続されている。電源コード３５は背面板貫通穴３２から外部に導出され、コンセントプラグ３６が外部電源（図示せず）に接続されることとなる。
【００１７】
このように本実施形態に係るベッド装置は、ヘッドボード２のベッド本体１に臨む面から音が出るようにヘッドボード２に内蔵された２個のパッシブスピーカ４、４と、パッシブスピーカ４、４に外部の音響機器２４からの音源を入力するための３．５ｍｍステレオミニプラグ２６とを備えている。パッシブスピーカ４は、オーディオ信号を増幅するアンプを必要としない。本実施形態に係るベッド装置はアンプを備えなくても外部の音響機器２４のオーディオ信号をパッシブスピーカ４により音に変換して聞くことができる。
【００１８】
このため、上記アンプを備えることなく外部の音響機器の音を聞くことのできるベッド装置を比較的安価に提供でき、さらに上記アンプを備えることがないため安全性に優れるベッド装置を提供することができる。
外部の音響機器２４としては、例えば、ＤＶＤ若しくはコンパクドディスク再生装置やディジタル・オーディオ・プレイヤなどがある。
さらに、パッシブスピーカ４は指向性を有するため、ベッド本体１上に居る聴取者以外の人、例えば、隣のベッドに寝ている人にパッシブスピーカ４、４から発せられる音が聞こえるのを抑制することができ不快感を与えることがない。
【００１９】
さらに、パッシブスピーカ４はバス・レフレックス型である。スピーカユニット１６後面から発生する音の低音域をエンクロージャ１４内でヘルムホルツ共鳴させ増幅することができ、バスレフダクト１５により外部に伝達する。このため、パッシブスピーカ４は、効率良く高い音圧の低音域の音を発生させることができ豊かな音量を発生できる。
さらに、ヘッドボード２はパッシブスピーカ４を収容する筐体３を内蔵している。筐体３はヘルムホルツ共鳴器として作用し、スピーカユニット１６後面から発生する音の低音域は増幅される。このため、ベッド装置はより効率良く高い音圧の低音域の音を発生させることができ豊かな音量を発生できる。
【００２０】
さらに、筐体３のベッド本体１に臨む面と対向する蓋板１０にあって、パッシブスピーカ４のバスレフダクト１５のポート２２に対応する１ないし複数個の外部に通じるバスレフ用小孔１３が設けてある。このため、筐体３により増幅された上記低音域の音をバスレフ用小孔１３より外部に伝達することができ、ベッド装置は、より効率良く高い音圧の低音域の音を発生させることができ豊かな音量を発生できる。
さらに、パッシブスピーカ４、４は指向性を有し、その音軸がベッド本体１の幅方向中央に向けられている。このため、ベッド本体１上に居る聴取者以外の人にパッシブスピーカ４、４から発せられる音が聞こえるのをより一層抑制することができる。
【００２１】
さらに、ヘッドボード２はスイッチ３４付き電源コンセント３３を備えている。このため、電源コンセント３３から音響機器２４を駆動するための電源を容易に得ることができ、また電源コンセント３３を音響機器２４の充電に利用することができる。さらに、電源コンセント３３はスイッチ３４を備えている。このため、電源コンセント３３を使用しないときはスイッチ３４をオフにすることで、外部電源と電源コンセント３３とを断電することができ、電源コンセント３３からの漏電等を防止でき安全性を高めることができる。
さらに、パッシブスピーカ４の入力端子は３．５ｍｍステレオミニプラグ２６である。３．５ｍｍステレオミニプラグ２６は、広く普及されているため。様々な音源にパッシブスピーカ４、４を接続することができる。
【００２２】
（第２の実施形態）
本発明の第２の実施形態につき、主に図５を参照して説明する。図５は本実施形態に係るベッド装置の全体斜視図を示している。なお、上記第１の実施形態と同一部分には同一符号を付し、その詳細な説明は省略する。本実施形態に係る構成は、ヘッドボード２におけるパッシブスピーカ４、４と照明５、５との配置関係が第１の実施形態と異なる。
照明５、５はヘッドボード２の左右両端に高さ方向に長い形態で配設されている。パッシブスピーカ４、４は、それぞれ両照明５、５の下部に位置し、ヘッドボード２の左右両側の縦方向中間部に配設されている。
本実施形態におけるベッド装置は、第１の実施形態と同様の効果が得られる。
【００２３】
（第３の実施形態）
本発明の第３の実施形態につき、主に図６を参照して説明する。図６は本実施形態に係るベッド装置の全体斜視図を示している。なお、上記第１の実施形態と同一部分には同一符号を付し、その詳細な説明は省略する。本実施形態に係る構成は、ヘッドボード２におけるパッシブスピーカ４、４と照明５との配置関係が第１の実施形態と異なる。
照明５はヘッドボード２の高さ方向中間部に横方向に長い形態で配設されている。パッシブスピーカ４、４はヘッドボード２の左右両側の上端部に配設されている。
本実施形態におけるベッド装置は、第１の実施形態と同様の効果が得られる。
【００２４】
（第４の実施形態）
本発明の第４の実施形態につき、主に図７を参照して説明する。図７は本実施形態に係るベッド装置の全体斜視図を示している。なお、上記第１の実施形態と同一部分には同一符号を付し、その詳細な説明は省略する。本実施形態に係る構成は、ヘッドボード２におけるパッシブスピーカ４、４と照明５との配置関係が第１の実施形態と異なる。
照明５はヘッドボード２の上部に横方向に長い形態で配設されている。照明５の両端の両側にパッシブスピーカ４、４が配設されている。
本実施形態におけるベッド装置は、第１の実施形態と同様の効果が得られる。
【００２５】
（第５の実施形態）
本発明の第５の実施形態につき、主に図８を参照して説明する。図８は本実施形態に係るベッド装置の全体斜視図を示している。なお、上記第５の実施形態と同一部分には同一符号を付し、その詳細な説明は省略する。本実施形態に係る構成は、ヘッドボード２におけるパッシブスピーカ４、４と照明５との配置関係が第１の実施形態と異なる。
２個のパッシブスピーカ４、４はヘッドボード２の上部左右両端に配設され、照明５はヘッドボード２の高さ方向中間部に幅方向全域に亘って配設されている。
本実施形態におけるベッド装置は、第１の実施形態と同様の効果が得られる。
【図面の簡単な説明】
【００２６】
【図１】第１の実施形態に係る右側のパッシブスピーカ部分の縦断右側面拡大図
【図２】ベッド装置の全体斜視図
【図３】パッシブスピーカを背面から見た斜視図
【図４】ヘッドボードの上面を拡大して示した部分破断図
【図５】第２の実施形態に係る図２相当図
【図６】第３の実施形態に係る図２相当図
【図７】第４の実施形態に係る図２相当図
【図８】第５の実施形態に係る図２相当図
【符号の説明】
【００２７】
図面中、１はベッド本体、２はヘッドボード、３は筐体、４はパッシブスピーカ、１３はバスレフ用小孔（貫通穴）、１５はバスレフダクト、２２はポート（貫通穴）、２４は音響機器、２６は３．５ｍｍステレオミニプラグ（プラグ）、３３は電源コンセント、３４はスイッチを示す。
【図１】
0003149148.tif 000003
【図２】
0003149148.tif 000004
【図３】
0003149148.tif 000005
【図４】
0003149148.tif 000006
【図５】
0003149148.tif 000007
【図６】
0003149148.tif 000008
【図７】
0003149148.tif 000009
【図８】
0003149148.tif 000010